(57)【要約】【課題】表示対象どうしの関連性を考慮した表示画像を表示する。【解決手段】画像表示装置１００であって、第１表示対象の画像データを取得する画像取得部３ａと、画像記録部５に記録された少なくとも一の画像の画像データの中で、画像取得部により取得された第１表示対象及び当該第１表示対象と関連性の高い第２表示対象が存する画像の画像データを、表示部１に表示される表示画像の画像データとして特定する画像特定部３ｄとを備えている。【選択図】図１
2011238143.tif 000002
【特許請求の範囲】
【請求項１】
画像データを表示する表示手段と、
少なくとも一の画像の画像データを記録する記録手段と、
第１表示対象の画像データを取得する取得手段と、
前記記録手段に記録された少なくとも一の画像の画像データの中で、前記取得手段により取得された前記第１表示対象及び当該第１表示対象と関連性の高い第２表示対象が存する画像の画像データを、前記表示手段に表示される表示画像の画像データとして特定する第１特定手段と、
を備えたことを特徴とする画像表示装置。
【請求項２】
前記取得手段により取得された第１表示対象の画像データに基づいて、前記記録手段に記録された少なくとも一の画像の画像データの中から、前記第１表示対象に対応する第１特定領域を有する第１画像の画像データを検索する検索手段を更に備え、
前記第１特定手段は、
前記検索手段により検索された前記第１画像の画像データの中から、前記第２表示対象が存する画像の画像データを、前記表示画像の画像データとして特定することを特徴とする請求項１に記載の画像表示装置。
【請求項３】
前記第１特定手段は、
前記検索手段により検索された前記第１画像の各々から、前記第１表示対象に対応する前記第１特定領域以外の他の特定領域を前記第２表示対象の候補として特定し、当該第２表示対象の候補を有する前記第１画像の画像データの中から、前記第２表示対象が存する画像の画像データを、前記表示画像の画像データとして特定することを特徴とする請求項２に記載の画像表示装置。
【請求項４】
前記第１特定手段は、
前記第２表示対象の候補のうち、当該第２表示対象の候補を有する前記第１画像にて前記第１表示対象とともに存する割合の最も高い候補を前記第２表示対象として特定し、当該第２表示対象が存する画像の画像データを前記表示画像の画像データとして特定することを特徴とする請求項３に記載の画像表示装置。
【請求項５】
前記第１表示対象を撮像する撮像手段を更に備え、
前記取得手段は、更に、
前記撮像手段により撮像された前記第１表示対象の画像データを取得することを特徴とする請求項１〜４の何れか一項に記載の画像表示装置。
【請求項６】
前記第１表示対象及び前記第２表示対象は、人の顔画像であることを特徴とする請求項１〜５の何れか一項に記載の画像表示装置。
【請求項７】
前記記録手段に記録された少なくとも一の画像の画像データの中で、前記第２表示対象に対応する第２特定領域を少なくとも有する第２画像の画像データを特定する第２特定手段を更に備え、
前記表示手段は、更に、
前記第２特定手段により特定された前記第２画像の画像データを表示することを特徴とする請求項１〜６の何れか一項に記載の画像表示装置。
【請求項８】
前記記録手段に記録された少なくとも一の画像の画像データの中で、前記第２表示対象及び当該第２表示対象と関連性の高い第３表示対象が存する第３画像の画像データを特定する第３特定手段を更に備え、
前記表示手段は、更に、
前記第３特定手段により特定された前記第３画像の画像データを表示することを特徴とする請求項１〜７の何れか一項に記載の画像表示装置。
【請求項９】
画像データを表示する表示手段と、少なくとも一の画像の画像データを記録する記録手段とを備える画像表示装置を用いた画像表示方法であって、
第１表示対象の画像データを取得する処理と、
前記記録手段に記録された少なくとも一の画像の画像データの中で、取得された前記第１表示対象及び当該第１表示対象と関連性の高い第２表示対象が存する画像の画像データを、前記表示手段に表示される表示画像の画像データとして特定する処理と、
を行うことを特徴とする画像表示方法。
【請求項１０】
画像データを表示する表示手段と、少なくとも一の画像の画像データを記録する記録手段とを備える画像表示装置のコンピュータを、
第１表示対象の画像データを取得する取得手段、
前記記録手段に記録された少なくとも一の画像の画像データの中で、前記取得手段により取得された前記第１表示対象及び当該第１表示対象と関連性の高い第２表示対象が存する画像の画像データを、前記表示手段に表示される表示画像の画像データとして特定する第１特定手段、
として機能させることを特徴とするプログラム。
【発明の詳細な説明】
【技術分野】
【０００１】
本発明は、画像表示装置、画像表示方法及びプログラムに関する。
【背景技術】
【０００２】
従来、データベースに記憶されている画像データを検索する画像検索装置として、人物の名称と人物の顔の画像特徴量とを予め関連付けて記憶しておくことで、人物の名称をキーワードとして当該名称の人物の画像を検索して表示する装置が知られている（例えば、特許文献１参照）。
【先行技術文献】
【特許文献】
【０００３】
【特許文献１】特開２００７−２０７０３１号公報
【発明の概要】
【発明が解決しようとする課題】
【０００４】
しかしながら、上記特許文献１の技術にあっては、単に検索対象である人物の画像を検索しているだけであり、当該検索対象と一緒に写っている人や物などの被写体に関しては全く考慮されていない。
【０００５】
そこで、本発明の課題は、表示対象どうしの関連性を考慮した表示画像を表示することができる画像表示装置、画像表示方法及びプログラムを提供することにある。
【課題を解決するための手段】
【０００６】
上記課題を解決するため、本発明の画像表示装置は、
画像データを表示する表示手段と、少なくとも一の画像の画像データを記録する記録手段と、第１表示対象の画像データを取得する取得手段と、前記記録手段に記録された少なくとも一の画像の画像データの中で、前記取得手段により取得された前記第１表示対象及び当該第１表示対象と関連性の高い第２表示対象が存する画像の画像データを、前記表示手段に表示される表示画像の画像データとして特定する第１特定手段と、を備えたことを特徴としている。
【０００７】
また、本発明の画像表示方法は、
画像データを表示する表示手段と、少なくとも一の画像の画像データを記録する記録手段とを備える画像表示装置を用いた画像表示方法であって、第１表示対象の画像データを取得する処理と、前記記録手段に記録された少なくとも一の画像の画像データの中で、取得された前記第１表示対象及び当該第１表示対象と関連性の高い第２表示対象が存する画像の画像データを、前記表示手段に表示される表示画像の画像データとして特定する処理と、を行うことを特徴としている。
【０００８】
また、本発明のプログラムは、
画像データを表示する表示手段と、少なくとも一の画像の画像データを記録する記録手段とを備える画像表示装置のコンピュータを、第１表示対象の画像データを取得する取得手段、前記記録手段に記録された少なくとも一の画像の画像データの中で、前記取得手段により取得された前記第１表示対象及び当該第１表示対象と関連性の高い第２表示対象が存する画像の画像データを、前記表示手段に表示される表示画像の画像データとして特定する第１特定手段、として機能させることを特徴としている。
【発明の効果】
【０００９】
本発明によれば、表示対象どうしの関連性を考慮した表示画像を表示することができる。
【図面の簡単な説明】
【００１０】
【図１】本発明を適用した一実施形態の画像表示装置の概略構成を示すブロック図である。
【図２】図１の画像表示装置に記憶される画像特定用カウンタの一例を模式的に示す図である。
【図３】図１の画像表示装置による画像表示処理に係る動作の一例を示すフローチャートである。
【図４】変形例１の画像表示装置の概略構成を示すブロック図である。
【図５】変形例２の画像表示装置の概略構成を示すブロック図である。
【発明を実施するための形態】
【００１１】
以下に、本発明について、図面を用いて具体的な態様を説明する。ただし、発明の範囲は、図示例に限定されない。
図１は、本発明を適用した一実施形態の画像表示装置１００の概略構成を示すブロック図である。
【００１２】
本実施形態の画像表示装置１００は、第１表示対象の画像データを取得して、画像記録部５に記録された少なくとも一の画像の画像データの中で、取得された第１表示対象及び当該第１表示対象と関連性の高い第２表示対象が存する画像の画像データを、表示部１に表示される表示画像の画像データとして特定する。
具体的には、画像表示装置１００は、例えば、卓上に設置されるデジタルフォトフレーム等であり、図１に示すように、表示部１と、撮像部２と、画像処理部３と、メモリ４と、画像記録部５と、操作入力部６と、中央制御部７とを備えている。
【００１３】
表示部１は、表示手段を構成し、表示パネル１ａと、表示制御部１ｂとを具備している。
表示パネル１ａとしては、例えば、液晶表示パネルや有機ＥＬ表示パネルなどが挙げられるが、これらに限られるものではない。
表示制御部１ｂは、画像記録部５に記憶されている画像データを取得して、この画像データを表示パネル１ａの表示画面に表示させる。
【００１４】
撮像部２は、レンズ部２ａと、電子撮像部２ｂと、画像データ生成部２ｃとを具備している。
レンズ部２ａは、例えば、画像表示処理（後述）にて表示部１に表示される画像の鑑賞者（ユーザ）を第１表示対象として撮像可能となるように、表示部１の表示画面と同じ方向に向けて露出されているのが好ましい。
電子撮像部２ｂは、例えば、ＣＣＤ（Charge Coupled Device）やＣＭＯＳ（Complementary Metal-oxide Semiconductor）等のイメージセンサ等から構成されている。そして、電子撮像部２ｂは、レンズ部２ａの各種レンズや絞り（図示略）を通過した光学像を二次元の画像信号（ＲＧＢ画像データ）に変換して、画像データ生成部２ｃに出力する。
画像データ生成部２ｃは、電子撮像部２ｂから出力された被写体の光学像に応じたＲＧＢ色成分よりなる画像信号が入力され、必要に応じて、ＹＵＶ色空間に対応する画像データ（ＹＵＶ画像データ）やＨＳＶ色空間に対応する画像データ（ＨＳＶ画像データ）に変換して中央制御部７に出力する。
【００１５】
なお、ユーザである画像の鑑賞者を第１表示対象としたが、第１表示対象の種類はこれに限られるものではなく適宜任意に変更可能であり、例えば、ペットなどの動物、花などの植物、建物や置物などの物体等を第１表示対象としても良い。
このように、撮像部２は、第１表示対象を撮像する撮像手段を構成している。
【００１６】
画像処理部３は、撮像部２から出力された画像データの記録時に、中央制御部７から出力された画像データを受け取って、当該画像データに対して各種の画像処理や圧縮等を施してファイル化する。そして、画像処理部３は、ファイル化された画像データを画像記録部５に転送する。
【００１７】
また、画像処理部３は、画像取得部３ａと、第１表示対象検出部３ｂと、画像検索部３ｃと、画像特定部３ｄとを具備している。
【００１８】
画像取得部３ａは、第１表示対象の画像データを取得する。
具体的には、画像取得部３ａは、例えば、撮像部２により撮像された所定の背景内に第１表示対象（例えば、人や物体や動物や植物など）を含む撮像画像のＹＵＶ画像データを取得する。
なお、画像取得部３ａは、撮像部２により撮像された第１表示対象の画像データを取得するようにしたが、第１表示対象の画像データの取得方法はこれに限られるものではなく、例えば、画像記録部５に記録されている画像データを第１表示対象の画像データとして取得するようにしても良い。
ここで、画像取得部３ａは、第１表示対象の画像データを取得する取得手段を構成している。
【００１９】
第１表示対象検出部３ｂは、画像取得部３ａにより取得された撮像画像から第１表示対象を検出する。
即ち、第１表示対象検出部３ｂは、例えば、顔検出処理、エッジ検出処理、特徴抽出処理等の各種画像処理によって、画像取得部３ａにより取得された撮像画像中の人や物体などの主要被写体を第１表示対象として検出する。具体的には、第１表示対象検出部３ｂは、例えば、画像取得部３ａにより取得された撮像画像に対して所定の顔検出処理を施して顔画像を検出し、検出した顔画像の特徴情報、即ち、目、鼻、口等に相当する顔パーツの特徴情報を取得する。また、顔画像の特徴情報として、当該顔画像の画素値から色合いなどを検出しても良い。
なお、顔検出処理やエッジ検出処理や特徴抽出処理は、公知の技術であるので、ここでは詳細な説明を省略する。
【００２０】
画像検索部３ｃは、画像記録部５に記録されている複数の画像の画像データの中から、第１表示対象に対応する第１特定領域を有する第１画像の画像データを検索する。
即ち、画像検索部３ｃは、画像記録部５に記録されている複数の画像データをそれぞれ解析する画像解析部ｃ１を具備している。画像解析部ｃ１は、例えば、画像記録部５に記録されている複数の画像の画像データの各々を読み込み、読み込まれた各画像データに対して、顔検出処理、エッジ検出処理、特徴抽出処理等の各種画像処理を施して、人や物体などの主要被写体に対応する特定領域を検出する。
【００２１】
そして、画像検索部３ｃは、画像解析部ｃ１により検出された特定領域のうち、第１表示対象検出部３ｂにより検出された第１表示対象である顔画像と類似する特定領域（第１特定領域）を検索する。即ち、画像検索部３ｃは、第１表示対象検出部３ｂにより検出された第１表示対象である顔画像の特徴情報を用いて、画像解析部ｃ１により検出された各特定領域と顔画像（第１表示対象）との類似度を判定し、当該類似度が所定値以上の特定領域（第１特定領域）を検索する。そして、画像検索部３ｃは、当該特定領域を有する画像データを第１画像の画像データとして特定する。つまり、画像検索部３ｃは、顔画像（第１表示対象）との類似度が所定値以上と判定された特定領域を有する画像データを全て第１画像の画像として特定する。なお、画像検索部３ｃによる画像検索の手法は、如何なる認識アルゴリズムを適用しても良い。
また、画像検索部３ｃは、第１画像の画像データとして特定された画像データに、例えば、Ｅｘｉｆタグ情報として第１表示対象に対応する第１特定領域が存することを示す第１タグ情報を付加する。なお、第１タグ情報の付加の方法は一例であってこれに限られるものではなく、適宜任意に変更可能である。
画像検索部３ｃは、上記の各処理を画像記録部５に記録されている複数の画像の画像データの各々に対して行っていき、第１画像の画像データを検索する。
【００２２】
なお、画像記録部５に複数の画像データを記録しておくようにしたが、画像検索部３ｃによる検索対象となる画像データは少なくとも一つ記録されていれば良い。
ここで、画像検索部３ｃは、画像取得部３ａにより取得された第１表示対象の画像データに基づいて、画像記録部５に記録された少なくとも一の画像の画像データの中から、第１表示対象に対応する第１特定領域を有する第１画像の画像データを検索する検索手段を構成している。
【００２３】
画像特定部３ｄは、画像記録部５に記録された複数の画像の画像データの中から、第１表示対象及び第２表示対象が存する画像の画像データを特定する。
ここで、第２表示対象とは、第１表示対象と関連性の高いもの、即ち、画像中に第１表示対象とともに（同時に）存するもののうち、同時に存する割合の最も高いもののことを言う。なお、第２表示対象は、画像中に第１表示対象とともに（同時に）存するものであれば如何なるものであっても良く、例えば、人、動物、植物、物体等を適用可能である。
また、画像特定部３ｄは、画像検索部３ｃにより検索された第１画像の各々から、第２表示対象の候補を特定する候補特定部ｄ１を具備している。候補特定部ｄ１は、画像検索部３ｃにより検索された第１画像の各々から、第１表示対象に対応する第１特定領域以外の他の特定領域を第２表示対象の候補として特定する。即ち、候補特定部ｄ１は、画像検索部３ｃにより検索された各第１画像の画像データに、第１タグ情報以外のタグ情報、つまり、他の表示対象に対応する特定領域（例えば、「Ｂ」さん、「Ｃ」さん等の顔画像）が存することを示すタグ情報（例えば、「Ｂ」さんに対応する第２タグ情報や、「Ｃ」さんに対応する第３タグ情報等）が付加されているか否かを判定する。そして、画像検索部３ｃは、付加されているタグ情報に従って他の表示対象を第２表示対象の候補として特定する。また、候補特定部ｄ１は、特定された第２表示対象の候補（例えば、「Ｂ」さん、「Ｃ」さん等の顔画像）を識別する情報をメモリ４の画像特定用カウンタＭに格納する。
なお、第１タグ情報以外のタグ情報は、例えば、上記した画像検索部３ｃによる画像検索に基づいて、自動的に付加されたものであっても良いし、ユーザによる操作入力部６の所定操作に基づいて手動で付加されたものであっても良い。
【００２４】
そして、画像特定部３ｄは、候補特定部ｄ１により特定された第２表示対象の候補を有する第１画像の画像データの中から、第２表示対象が存する画像の画像データを表示画像の画像データとして特定する。即ち、画像特定部３ｄは、メモリ４の画像特定用カウンタＭの「ユーザＡ以外の顔情報」を参照して、第２表示対象の候補の中で最もカウント数の多い第２表示対象の候補、つまり、第２表示対象の候補を有する第１画像にて第１表示対象とともに存する割合の最も高い候補を第２表示対象として特定する。そして、画像特定部３ｄは、画像検索部３ｃにより検索された第１画像の画像データの中から、第２表示対象が存する画像の画像データを、表示画像の画像データとして特定する。つまり、画像特定部３ｄは、特定された第２表示対象が存する画像の画像データを全て表示画像の画像データとして特定する。
このように、画像特定部３ｄは、画像検索部３ｃにより検索された第１画像の画像データの中から、第２表示対象が存する画像の画像データを、表示画像の画像データとして特定する。
また、画像特定部３ｄは、特定された表示画像の画像データを表示部１の表示制御部１ｂに出力する。
【００２５】
なお、画像特定部３ｄによる表示画像の特定方法は、一例であってこれに限られるものではなく、適宜任意に変更可能である。
ここで、画像特定部３ｄは、画像記録部５に記録された少なくとも一の画像の画像データの中で、画像取得部３ａにより取得された第１表示対象及び当該第１表示対象と関連性の高い第２表示対象が存する画像の画像データを、表示部１に表示される表示画像の画像データとして特定する第１特定手段を構成している。
【００２６】
メモリ４は、例えば、ＤＲＡＭ（Dynamic Random Access Memory）等により構成され、画像処理部３や中央制御部７等によって処理されるデータ等を一時的に記憶する。
【００２７】
また、メモリ４は、画像表示処理に用いられる画像特定用カウンタＭ（図２参照）を記憶する。
画像特定用カウンタＭは、画像表示処理にて、表示画像を特定するために用いられるものである。具体的には、図２に示すように、画像特定用カウンタＭは、画像記録部５から読み出された画像の番号「画像No.」と、各画像にユーザ（第１表示対象）「Ａ」が存するか否かに係る「ユーザＡ用の第１タグ情報」と、各画像にユーザ「Ａ」以外に存する表示対象（例えば、人）を指示する「ユーザＡ以外の顔情報」と、画像を表示するか否かの結果である「結果」とが対応付けられている。
【００２８】
「画像No.」は、画像記録部５から読み出された順に各画像に付与され、例えば、「No.1」〜「No.7」を例示しているが、これに限られるものではない。
「ユーザＡ用の第１タグ情報」は、各画像内にユーザ「Ａ」が存する場合にチェック「レ」され、例えば、「No.1」、「No.2」、「No.4」〜「No.6」の画像にユーザ「Ａ」が存することを表している。
「ユーザＡ以外の顔情報」は、各画像に存するユーザ「Ａ」以外の表示対象、例えば、「Ｂ」さん〜「Ｆ」さんの顔画像を識別する情報を表し、「No.1」の画像には、「Ｂ」さん、「Ｃ」さん、「Ｄ」さんが存し、「No.2」の画像には、「Ｂ」さん、「Ｅ」さん、「Ｆ」さん、「Ｇ」さんが存し、「No.3」の画像には、不明の顔画像が３つ存し、「No.4」の画像には、「Ｂ」さん、「Ｄ」さん、「Ｆ」さんが存し、「No.5」の画像には、「Ｇ」さんが存し、「No.6」の画像には、「Ｂ」さん、「Ｄ」さんが存し、「No.7」の画像には、不明の顔画像が２つ存することを表している。
「結果」は、画像特定部３ｄによる表示画像の特定の結果が記載され、例えば、第１表示対象である「ユーザＡ」及び第２表示対象として特定された「Ｂ」さんがともに存する画像のみ、例えば、「No.1」、「No.2」、「No.4」、「No.6」の画像が表示画像「表示」となり、それ以外は、非表示となる。
なお、画像特定用カウンタＭに格納される各種情報は、一例であってこれらに限られるものではなく、適宜任意に変更可能である。
【００２９】
画像記録部５は、例えば、不揮発性メモリ（フラッシュメモリ）等により構成されている。また、画像記録部５は、表示部１に表示される静止画像や動画像を記憶するものであり、所定の圧縮形式で符号化された静止画像データや複数の画像フレームからなる動画像データを記録する。
ここで、画像記録部５は、少なくとも一の画像の画像データを記録する記録手段を構成している。
なお、静止画像の画像データは、例えば、Ｅｘｉｆ形式の画像ファイルから構成されても良く、この場合には、画像表示処理にて付加される第１タグ情報やその他のタグ情報をＥｘｉｆタグ情報として付帯する。
【００３０】
操作入力部６は、例えば、数値、文字等を入力するためのデータ入力キーや、データの選択、送り操作等を行うための上下左右移動キーや各種機能キー等によって構成される操作部を備え、これらの操作部の操作に応じて所定の操作信号を中央制御部７に出力する。
【００３１】
中央制御部７は、画像表示装置１００の各部を制御するものである。具体的には、中央制御部７は、図示は省略するが、ＣＰＵ（Central Processing Unit）、ＲＡＭ（Random Access Memory）、ＲＯＭ（Read Only Memory）を備え、画像表示装置１００用の各種処理プログラム（図示略）に従って各種の制御動作を行う。
【００３２】
次に、画像表示処理について図３を参照して説明する。
図３は、画像表示装置１００による画像表示処理に係る動作の一例を示すフローチャートである。
以下に示す画像表示処理にあっては、第１表示対象である鑑賞者をユーザ「Ａ」の顔画像とするとともに、ユーザ「Ａ」以外の人（第２表示対象の候補）の顔画像を検索して、当該候補の中から第２表示対象となる顔画像を特定するものとする。
【００３３】
図３に示すように、先ず、撮像部２は、所定の背景内に第１表示対象であるユーザ「Ａ」が存する画像を撮像する（ステップＳ１）。そして、画像処理部３の画像取得部３ａは、撮像部２の画像データ生成部２ｃにより生成された撮像画像のＹＵＶ画像データを取得して、第１表示対象検出部３ｂは、例えば、撮像画像のＹＵＶ画像データに対して所定の顔検出処理を施してユーザ「Ａ」の顔画像を検出し、検出した顔画像の目、鼻、口等に相当する顔パーツの特徴情報を顔情報として取得する（ステップＳ２）。
【００３４】
次に、画像処理部３は、画像記録部５に記録されている複数の画像の画像データの読み込みをループ（ループ１）により処理する（ステップＳ３〜Ｓ１３）。
具体的には、画像検索部３ｃの画像解析部ｃ１は、画像記録部５に記録されている複数の画像の画像データの各々を所定の順序で読み込み（ステップＳ４）、処理対象の画像データ（例えば、画像番号が「NO.1」の最初の画像データ等）に対して顔検出処理（画像処理）を施して、主要被写体である人の顔に対応する顔画像（特定領域）を検出する（ステップＳ５）。そして、画像解析部ｃ１は、顔検出処理にて検出された画像内の顔画像の数を「Ｎ」とする（ステップＳ６）。例えば、処理対象が画像番号「NO.1」の画像データである場合、４人（例えば、ユーザ「Ａ」、「Ｂ」さん、「Ｃ」さん、「Ｄ」さん等）の顔画像が検出される。なお、処理対象の画像データから顔画像が検出されなかった場合には、画像処理部３は、ステップＳ７以降の処理を行わず、処理をステップＳ３に戻し、処理対象の画像データを変更しても良い。
また、画像解析部ｃ１は、第１表示対象及び第２表示対象を人の顔画像としたことから、画像処理として顔検出処理を行うようにしたが、第１表示対象及び第２表示対象の種類に応じて画像処理の種類（例えば、エッジ検出処理や特徴抽出処理等）を変更しても良い。
【００３５】
次に、画像検索部３ｃは、処理対象の画像データの各顔画像に対するユーザ「Ａ」の顔画像の検索処理をループ（ループ２）により処理する（ステップＳ７〜Ｓ１０）。
具体的には、画像検索部３ｃは、画像解析部ｃ１により検出された各顔画像を所定の順序で読み込み、処理対象の顔画像について第１表示対象であるユーザ「Ａ」の顔情報（特徴情報）との類似度を判定し、当該類似度が所定値以上であるか否かに応じて処理対象の顔画像がユーザ「Ａ」の顔情報と等しいか否かを判定する（ステップＳ８）。
ここで、処理対象の顔画像がユーザ「Ａ」の顔情報と等しいと判定されると（ステップＳ８；ＹＥＳ）、画像検索部３ｃは、当該処理対象の画像データを第１画像の画像データとして特定した後、例えば、Ｅｘｉｆタグ情報としてユーザ「Ａ」の顔画像（第１表示対象）に対応する第１特定領域が存することを示す第１タグ情報を付加する（ステップＳ９）。
一方、処理対象の顔画像がユーザ「Ａ」の顔情報と等しくないと判定されると（ステップＳ８；ＮＯ）、即ち、例えば、処理対象の顔画像がユーザ「Ａ」以外の「Ｂ」さん等の顔画像である場合には、画像検索部３ｃは、処理対象の顔画像がユーザ「Ａ」の顔情報と等しくないと判定して、ステップＳ９の処理をスキップする。
上記のループ２の処理を、画像解析部ｃ１により検出された全ての顔画像について繰り返し行うことで（ステップＳ１０）、画像検索部３ｃは、ユーザ「Ａ」の顔画像の検索処理を終了する。
【００３６】
次に、画像特定部３ｄの候補特定部ｄ１は、処理対象の画像データに、ユーザ「Ａ」に係る第１タグ情報以外のタグ情報、つまり、他の人（例えば、「Ｂ」さん、「Ｃ」さん等）の顔画像（特定領域）が存することを示すタグ情報が付加されているか否かを判定する（ステップＳ１１）。
ここで、第１タグ情報以外のタグ情報が付加されていると判定されると（ステップＳ１１；ＹＥＳ）、即ち、例えば、処理対象が画像番号「NO.1」の画像データである場合、「Ｂ」さんに対応する第２タグ情報や、「Ｃ」さんに対応する第３タグ情報や、「Ｄ」さんに対応する第４タグ情報等が付加されているため、候補特定部ｄ１は、第１タグ情報以外のタグ情報が付加されていると判定する。そして、候補特定部ｄ１は、ユーザ「Ａ」以外の顔画像（例えば、「Ｂ」さん、「Ｃ」さん、「Ｄ」さんの顔画像）を第２表示対象の候補として、当該顔画像を識別する情報を画像特定用カウンタＭに格納して保存する（ステップＳ１２）。
一方、第１タグ情報以外のタグ情報が付加されていないと判定されると（ステップＳ１１；ＮＯ）、即ち、例えば、処理対象が画像番号「NO.3」の画像データである場合には、候補特定部ｄ１は、第１タグ情報以外のタグ情報が付加されていないと判定して、ステップＳ１２の処理をスキップする。
上記のループ１の処理を、画像記録部５に記録されている全ての画像データについて画像番号が最後の画像データまで繰り返し行うことで（ステップＳ１３）、画像処理部３は、画像データの読み込み処理を終了する。
【００３７】
続けて、画像特定部３ｄは、メモリ４の画像特定用カウンタＭの「ユーザＡ以外の顔情報」を参照して、カウンタ最大値を持つ顔画像、即ち、第２表示対象の候補である顔画像の中で最もカウント数の多い顔画像（例えば、「Ｂ」さんの顔画像）を第２表示対象として特定する（ステップＳ１４）。
つまり、「Ｂ」さんの顔画像は、例えば、「No.1」、「No.2」、「No.4」、「No.6」の画像データでユーザ「Ａ」とともに存しており、カウント数が「４」であるのに対して、他の人、即ち、「Ｃ」さん、「Ｄ」さん、「Ｅ」さん、「Ｆ」さんの顔画像のカウント数は、いずれも「４」よりも小さい。従って、ユーザ「Ａ」とともに存するカウント数が最大の顔画像は、「Ｂ」さんの顔画像となる。
【００３８】
次に、画像特定部３ｄは、画像記録部５に記録されている複数の画像の画像データの中からユーザ「Ａ」及び「Ｂ」さんの顔画像が含まれる画像データの表示をループ（ループ３）により処理する（ステップＳ１５〜Ｓ２０）。
具体的には、画像特定部３ｄは、画像記録部５に記録されている複数の画像の画像データの各々を所定の順序で読み込み（ステップＳ１６）、処理対象の画像データ（例えば、画像番号が「NO.1」の最初の画像データ等）に、ユーザ「Ａ」に係る第１タグ情報以外のタグ情報が付加されているか否かを判定する（ステップＳ１７）。
ここで、第１タグ情報以外のタグ情報が付加されていると判定されると（ステップＳ１７；ＹＥＳ）、即ち、例えば、処理対象が画像番号「NO.1」の画像データである場合、「Ｂ」さんに対応する第２タグ情報や、「Ｃ」さんに対応する第３タグ情報や、「Ｄ」さんに対応する第４タグ情報が付加されているため、画像特定部３ｄは、第１タグ情報以外のタグ情報が付加されていると判定する。そして、画像特定部３ｄは、当該画像データにカウンタ最大値を持つ顔画像である「Ｂ」さんの顔画像が含まれているか否かを判定する（ステップＳ１８）。即ち、画像特定部３ｄは、当該画像データにカウンタ最大値を持つ顔画像である「Ｂ」さんに対応する第２タグ情報が付加されているか否かに応じて当該「Ｂ」さんの顔画像が含まれているか否かを判定する。
【００３９】
ステップＳ１８にて、「Ｂ」さんの顔画像が含まれていると判定されると（ステップＳ１８；ＹＥＳ）、画像特定部３ｄは、当該画像データを表示画像の画像データとして特定して、特定された表示画像の画像データを表示部１の表示制御部１ｂに出力する。表示制御部１ｂは、入力された画像データを表示パネル１ａの表示画面に表示させる（ステップＳ１９）。
一方、「Ｂ」さんの顔画像が含まれていないと判定されると（ステップＳ１８；ＮＯ）、即ち、例えば、処理対象が画像番号「NO.5」の画像データである場合には、候補特定部ｄ１は、「Ｂ」さんの顔画像が含まれていないと判定して、ステップＳ１９の処理をスキップする。
また、ステップＳ１７にて、第１タグ情報以外のタグ情報が付加されていないと判定されると（ステップＳ１７；ＮＯ）、即ち、例えば、処理対象が画像番号「NO.3」の画像データである場合には、候補特定部ｄ１は、第１タグ情報以外のタグ情報が付加されていないと判定して、ステップＳ１８、Ｓ１９の処理をスキップする。
上記のループ３の処理を、画像記録部５に記録されている全ての画像データについて画像番号が最後の画像データまで繰り返し行うことで（ステップＳ２０）、画像処理部３は、画像データの表示処理を終了する。
【００４０】
なお、各画像データの表示時間、即ち、次の画像データに切り替えられるまでの時間は、予め所定の時間に設定されていても良いし、ステップＳ１９にて、「Ｂ」さんの顔画像が含まれていると判定される毎に画像データを切り替えるようにしても良い。
また、画像データの読み込みの順序に従って表示する順序を決定しても良いし、画像データの読み込みの順序とは異ならせても良い。つまり、画像データの表示は、当該画像データの読み込みの順序や判定の順序とは無関係にランダムに設定しても良い。
【００４１】
以上のように、本実施形態の画像表示装置１００によれば、画像記録部５に記録された少なくとも一の画像の画像データの中から、第１表示対象（例えば、ユーザ「Ａ」の顔画像等）及び当該第１表示対象と関連性の高い第２表示対象（例えば、「Ｂ」さんの顔画像等）が存する表示画像の画像データを特定するので、取得した第１表示対象だけでなく、当該第１表示対象と関連性の高い第２表示対象も存する画像の画像データを表示画像の画像データとして特定することができる。つまり、例えば、一の画像内にユーザと一緒に写っている（存する）人は、ユーザと親しい人であったり、ユーザの所属する一の組織（例えば、会社組織等）内の人ほど同時に写る頻度（割合）が高くなって関連性が高くなる。そこで、これら表示対象どうしの関連性を考慮して表示画像の画像データを特定することで、第１表示対象と関連性の高い第２表示対象も存する表示画像を表示することができる。
【００４２】
また、第１表示対象の画像データに基づいて、画像記録部５に記録された少なくとも一の画像の画像データの中から、第１表示対象に対応する第１特定領域を有する第１画像の画像データを検索し、検索された第１画像の画像データの中から、第２表示対象が存する画像の画像データを表示画像の画像データとして特定する。これにより、画像記録部に記録された少なくとも一の画像の画像データの中で、第２表示対象が存する画像の検索対象を第１画像の画像データに限定することができる。
【００４３】
また、第１画像の各々から、第１表示対象に対応する第１特定領域以外の他の特定領域を第２表示対象の候補として特定するので、候補の中から最終的な第２表示対象の特定を迅速に、且つ、簡便に行うことができる。さらに、第２表示対象の候補のうち、当該第２表示対象の候補を有する第１画像にて第１表示対象とともに存する割合の最も高い候補を第２表示対象として特定するので、第２表示対象の候補の中で、一の画像内に第１表示対象（例えば、ユーザの顔画像）と一緒に存する頻度の最も高い候補を最終的な第２表示対象として特定することができ、第１表示対象と関連性の高い第２表示対象の特定をより適正に行うことができる。これにより、第１表示対象と関連性の高い第２表示対象も存する表示画像の画像データの特定を適正に行うことができる。
【００４４】
また、第１表示対象を撮像して、当該第１表示対象の画像データを取得するので、第１表示対象を撮像するだけで、例えば、第１表示対象がユーザである場合には、自分撮りを行うだけで、第１表示対象及び第２表示対象の存する表示画像の画像データの特定を簡便に行うことができる。
【００４５】
さらに、表示画像の画像データの特定に際して、従来のように、特定の画像の検索のために予め全ての画像にキーワードを登録しておく必要がなく、当該画像データの特定を簡便に行うこともできる。
【００４６】
なお、本発明は、上記実施形態に限定されることなく、本発明の趣旨を逸脱しない範囲において、種々の改良並びに設計の変更を行っても良い。
以下に、画像表示装置１００の変形例について図４及び図５を参照して説明する。
【００４７】
＜変形例１＞
変形例１の画像表示装置２００は、画像記録部５に記録されている少なくとも一の画像の画像データの中で、第２表示対象に対応する第２特定領域を少なくとも有する第２画像の画像データを特定する。
なお、変形例１の画像表示装置２００にあっては、以下に説明する以外の構成は上記実施形態の画像表示装置１００と略同様であり、その詳細な説明は省略する。
【００４８】
図４は、変形例１の画像表示装置２００の概略構成を示すブロック図である。
図４に示すように、変形例１の画像表示装置２００は、画像処理部３に、画像取得部３ａと、第１表示対象検出部３ｂと、画像検索部３ｃと、第１画像特定部２０３ｄに加えて、第２画像特定部２０３ｅを具備している。
なお、第１画像特定部２０３ｄは、上記実施形態の画像表示装置１００の画像特定部３ｄと同様の機能を具備するものであり、第２画像特定部２０３ｅとの差別化を図るために名称のみを変更したものである。
【００４９】
第２画像特定部２０３ｅは、第１画像特定部２０３ｄにより特定された第２表示対象に対応する第２特定領域を少なくとも有する第２画像の画像データを特定する。
即ち、第２画像特定部２０３ｅは、画像記録部５に記録されている少なくとも一の画像の画像データの各々を読み込んで、処理対象の画像データに、第２表示対象に対応する第２特定領域（例えば、「Ｂ」さんの顔画像）が存することを示すタグ情報（例えば、「Ｂ」さんに対応する第２タグ情報）が付加されているか否かを判定する。そして、第２画像特定部２０３ｅは、当該判定の結果、第２表示対象に対応する第２特定領域が存することを示すタグ情報が付加されていると判定された画像データを、第２画像の画像データとして特定する。つまり、第２画像の画像データは、第２表示対象に対応する第２特定領域を少なくとも有していれば良く、第１表示対象やその他の表示対象の有無は問わない。
なお、第２画像特定部２０３ｅによる第２画像の特定方法は、一例であってこれに限られるものではなく、適宜任意に変更可能である。
ここで、第２画像特定部２０３ｅは、画像記録部５に記録された少なくとも一の画像の画像データの中で、第２表示対象に対応する第２特定領域を少なくとも有する第２画像の画像データを特定する第２特定手段を構成している。
【００５０】
そして、第２画像特定部２０３ｅは、特定された第２画像の画像データを表示部１の表示制御部１ｂに出力する。表示制御部１ｂは、入力された第２画像の画像データを表示パネル１ａの表示画面に表示させる。
なお、表示部１による第２画像の画像データの表示は、第１画像特定部２０３ｄにより特定された表示画像の画像データの表示に連続して行われても良いし、この表示とは別個に行われても良い。また、表示部１は、表示画像の画像データと第２画像の画像データとをランダムに表示するようにしても良い。
【００５１】
従って、変形例１の画像表示装置２００によれば、画像記録部５に記録されている少なくとも一の画像の画像データの中から、第２表示対象に対応する第２特定領域を少なくとも有する第２画像の画像データを特定するので、第１表示対象と関連性の高い第２表示対象が少なくとも存する第２画像を表示することができる。つまり、例えば、ユーザがカメラマンとなって撮像する場合には、被写体となるユーザの配偶者や子供等は写っているもののユーザ自身は写っていない画像も存在する。そこで、ユーザの画像（第１表示対象）との関連性の高い親しい人や物である第２表示対象が写っている（存する）第２画像の画像データを特定して当該第２画像を表示することで、当該画像表示装置２００の利便性を向上させることができる。
【００５２】
＜変形例２＞
変形例２の画像表示装置３００は、画像記録部５に記録されている少なくとも一の画像の画像データの中で、第２表示対象及び当該第２表示対象と関連性の高い第３表示対象が存する第３画像の画像データを特定する。
なお、変形例２の画像表示装置３００にあっては、以下に説明する以外の構成は上記変形例１の画像表示装置２００と略同様であり、その詳細な説明は省略する。
【００５３】
図５は、変形例２の画像表示装置３００の概略構成を示すブロック図である。
図５に示すように、変形例２の画像表示装置３００は、画像処理部３に、画像取得部３ａと、第１表示対象検出部３ｂと、画像検索部３ｃと、第１画像特定部２０３ｄと、第２画像特定部２０３ｅに加えて、第３画像特定部３０３ｆを具備している。
なお、メモリ４に記憶されている第１画像特定用カウンタＭ１は、上記実施形態の画像表示装置１００の画像特定用カウンタＭと同様の機能を具備するものであり、第２画像特定用カウンタＭ２との差別化を図るために名称のみを変更したものである。
【００５４】
第３画像特定部３０３ｆは、第１画像特定部２０３ｄにより特定された第２表示対象及び第３表示対象が存する第３画像の画像データを特定する。
ここで、第３表示対象とは、第２表示対象と関連性の高いもの、即ち、画像中に第２表示対象とともに（同時に）存するもののうち、同時に存する割合の最も高いもののことを言う。なお、第３表示対象は、画像中に第２表示対象とともに（同時に）存するものであれば如何なるものであっても良く、例えば、人、動物、植物、物体等を適用可能である。
具体的には、第３画像特定部３０３ｆは、第１画像特定部２０３ｄによる第１表示対象及び第２表示対象が存する表示画像の画像データの特定手法と略同等の手法によって、第２表示対象及び第３表示対象が存する第３画像の画像データを特定する。即ち、第３画像特定部３０３ｆの候補特定部（図示略）は、第２画像特定部２０３ｅにより特定された第２画像の各々から、第１表示対象及び第２表示対象の各々に対応する第１特定領域及び第２特定領域以外の他の特定領域を第３表示対象の候補として特定する。例えば、第３画像特定部３０３ｆの候補特定部は、各第２画像の画像データに、第１タグ情報及び第２タグ情報以外のタグ情報、つまり、他の表示対象に対応する特定領域（例えば、「Ｃ」さんや「Ｄ」さん等の顔画像）が存することを示すタグ情報（例えば、「Ｃ」さんに対応する第３タグ情報や、「Ｄ」さんに対応する第４タグ情報等）が付加されているか否かを判定し、付加されているタグ情報に従って他の表示対象を第３表示対象の候補として特定する。そして、第３画像特定部３０３ｆの候補特定部は、特定された第３表示対象の候補（例えば、「Ｃ」さん、「Ｄ」さん等の顔画像）を識別する情報をメモリ４の第２画像特定用カウンタＭ２に格納する。
【００５５】
ここで、第２画像特定用カウンタＭ２は、画像表示処理にて、第３画像を特定するために用いられるものである。具体的には、図示は省略するが、第２画像特定用カウンタＭ２は、第１画像特定用カウンタＭ１と略同様に、画像記録部５から読み出された画像の番号「画像No.」と、各画像に第２表示対象「Ｂ」が存するか否かに係る「「Ｂ」さん用の第２タグ情報」と、各画像にユーザ「Ａ」及び「Ｂ」さん以外に存する表示対象（例えば、人）を指示する「ユーザＡ及び「Ｂ」さん以外の顔情報」と、画像を表示するか否かの結果である「結果」とが対応付けられている。
なお、第２画像特定用カウンタＭ２の具体的な構成の説明については省略する。
【００５６】
また、第３画像特定部３０３ｆは、候補特定部により特定された第３表示対象の候補を有する第２画像の画像データの中から、第３表示対象が存する画像の画像データを表示画像の画像データとして特定する。即ち、第３画像特定部３０３ｆは、メモリ４の第２画像特定用カウンタＭ２の「ユーザＡ及び「Ｂ」さん以外の顔情報」を参照して、第３表示対象の候補の中で最もカウント数の多い第３表示対象の候補、つまり、第３表示対象の候補を有する第２画像にて第２表示対象とともに存する割合の最も高い候補を第３表示対象として特定する。そして、第３画像特定部３０３ｆは、第２画像特定部２０３ｅにより特定された第２画像の画像データの中から、第３表示対象が存する第３画像の画像データを全て特定する。
なお、第３画像特定部３０３ｆによる第３画像の特定方法は、一例であってこれに限られるものではなく、適宜任意に変更可能である。
ここで、第３画像特定部３０３ｆは、画像記録部５に記録された少なくとも一の画像の画像データの中で、第２表示対象及び当該第２表示対象と関連性の高い第３表示対象が存する第３画像の画像データを特定する第３特定手段を構成している。
【００５７】
そして、第３画像特定部３０３ｆは、特定された第３画像の画像データを表示部１の表示制御部１ｂに出力する。表示制御部１ｂは、入力された第３画像の画像データを表示パネル１ａの表示画面に表示させる。
なお、表示部１による第３画像の画像データの表示は、第２画像特定部２０３ｅにより特定された第２画像の画像データの表示に連続して行われても良いし、この表示とは別個に行われても良い。また、表示部１は、第２画像の画像データと第３画像の画像データとをランダムに表示するようにしても良い。
さらに、表示部１による第３画像の画像データの表示は、第１画像特定部２０３ｄにより特定された表示画像の画像データの表示に連続して行われても良いし、この表示とは別個に行われても良い。また、表示部１は、表示画像の画像データと第３画像の画像データとをランダムに表示するようにしても良い。
【００５８】
従って、変形例２の画像表示装置３００によれば、画像記録部５に記録されている少なくとも一の画像の画像データの中から、第２表示対象（例えば、「Ｂ」さんの顔画像等）及び当該第２表示対象と関連性の高い第３表示対象（例えば、「Ｃ」さんの顔画像等）が存する表示画像の画像データを特定するので、特定した第２表示対象だけでなく、当該第２表示対象と関連性の高い第３表示対象も存する画像の画像データを表示画像の画像データとして特定することができる。つまり、例えば、ユーザがカメラマンとなって撮像する場合には、被写体となるユーザの配偶者や子供等が同時に写っている画像も存在する。そこで、ユーザの画像（第１表示対象）との関連性の高い親しい人や物である第２表示対象及び第３表示対象の関連性を考慮して第３画像の画像データを特定することで、第２表示対象と関連性の高い第３表示対象も存する表示画像を表示することができ、当該画像表示装置３００の利便性をさらに向上させることができる。
【００５９】
また、処理対象画像の撮像は、当該画像表示装置１００（２００、３００）とは異なる画像表示装置にて行い、この画像表示装置から転送された処理対象画像の画像データを取得して、画像表示処理を行う画像表示装置であっても良い。
【００６０】
さらに、上記実施形態にあっては、第１表示対象（例えば、ユーザ「Ａ」）に対応する第１特定領域を有する第１画像の画像データのみを連続して表示するようにしても良いし、これらの連続した表示に続けて、第１表示対象及び第２表示対象が存する表示画像の画像データを表示したり、変形例１にて特定された第２画像の画像データを表示したり、変形例２にて特定された第３画像の画像データを表示するようにしても良い。
【００６１】
加えて、上記実施形態にあっては、取得手段、第１特定手段としての機能を、中央制御部７の制御下にて、画像処理部３の画像取得部３ａ、画像特定部３ｄ（第１画像特定部２０３ｄ）が駆動することにより実現される構成としたが、これに限られるものではなく、中央制御部７のＣＰＵによって所定のプログラム等が実行されることにより実現される構成としても良い。
即ち、プログラムを記憶するプログラムメモリ（図示略）に、取得処理ルーチン、特定処理ルーチンを含むプログラムを記憶しておく。そして、取得処理ルーチンにより中央制御部７のＣＰＵを、第１表示対象の画像データを取得する取得手段として機能させるようにしても良い。また、特定処理ルーチンにより中央制御部７のＣＰＵを、記録手段に記録された少なくとも一の画像の画像データの中で、取得手段により取得された第１表示対象及び当該第１表示対象と関連性の高い第２表示対象が存する画像の画像データを、表示手段に表示される表示画像の画像データとして特定する第１特定手段として機能させるようにしても良い。
【００６２】
同様に、検索手段、第２特定手段、第３特定手段についても、中央制御部７のＣＰＵによって所定のプログラム等が実行されることにより実現される構成としても良い。
【００６３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型画像記録部を適用することも可能である。また、プログラムのデータを所定の通信回線を介して提供する媒体としては、キャリアウェーブ（搬送波）も適用される。
【符号の説明】
【００６４】
１００、２００、３００  画像表示装置
１    表示部
２    撮像部
３    画像処理部
３ａ  画像取得部
３ｃ  画像検索部
３ｄ  画像特定部
５    画像記録部
７    中央制御部
【図１】
2011238143.tif 000003
【図２】
2011238143.tif 000004
【図３】
2011238143.tif 000005
【図４】
2011238143.tif 000006
【図５】
2011238143.tif 000007